(57)【要約】【課題】所定のプリンタで印刷した印刷物を評価するに際し、実際の環境下で、当該プリンタで印刷した印刷物の色変化がどのようなものとなるかを容易に判断する。【解決手段】演色性検査カード１０において、評価対象のプリンタに対応し、標準光源下で視覚的に等色を呈し、非標準光源下で視覚的に異色を呈する可能性がある複数組の印字色チェック用パッチが形成されたプリント色チェック部１２を備える。【選択図】図１
2008224236.tif 000002
【特許請求の範囲】
【請求項１】
評価対象のプリンタに対応し、標準光源下で視覚的に等色を呈し、非標準光源下で視覚的に異色を呈する可能性がある複数組の印字色チェック用パッチが形成されたプリント色チェック部を備えたことを特徴とする演色性検査カード。
【請求項２】
請求項１記載の演色性検査カードにおいて、
各組を構成する二つの前記印字色チェック用パッチの一方である非依存性パッチは、所定の代表色を表すに際し、前記評価対象のプリンタが実装しているインクの種類とは無関係に、より光源依存性が低くなるように作成されており、
他方の依存性パッチは、前記評価対象のプリンタが実装しているインクにより前記代表色を表す場合の所定のインク量組み合わせを用いて作成されている、
ことを特徴とする演色性検査カード。
【請求項３】
請求項１または請求項２に記載の演色性検査カードにおいて、
前記依存性パッチは、前記評価対象のプリンタについて、用紙、解像度あるいは色補正方法毎に作成されることを特徴とする演色性検査カード。
【請求項４】
請求項１ないし請求項３のいずれかに記載の演色性検査カードにおいて、
前記標準光源下で等色を呈し、非標準光源下で異色を呈する複数の光源チェック用パッチが形成された光源チェック部を備えたことを特徴とする演色性検査カード。
【発明の詳細な説明】
【技術分野】
【０００１】
本発明は、演色性検査カードに係り、特に特定のプリンタで印刷された印刷物を評価するに際し、評価場所の光源が標準光源に近いスペクトル特性を有していない非標準光源下で観察した場合の色変化を容易に把握することができる演色性検査カードに関する。
【背景技術】
【０００２】
一般に印刷物の色は、照明の質、すなわち、照明のスペクトル成分によって変化するため、標準光源であるＤ５０光源（色温度５０００±２００ケルビン度）の下で評価を行うことが行われている。
したがって、各種印刷物を厳密に評価するに際しては、標準光源下で評価を行うべきであるが、実用上においては、標準光源下に近い環境下であれば特に問題は生じない。
このため、特許文献１においては、実際の環境下に近い環境であるか否かを判別するために光源の演色性を検査するための光源の演色性検査カードが提案されている。
【特許文献１】特開平１１−１９４９９７号公報
【発明の開示】
【発明が解決しようとする課題】
【０００３】
ところで、プリンタで印刷する印刷物の色を決定するためのルックアップテーブル（ＬＵＴ；ＲＧＢ→ＣＭＹＫテーブル）は、標準光源であるＤ５０光源（色温度５０００±２００ケルビン度）の下で、正しい色を呈するように作成されている。
したがって、プリンタの印刷物を厳密に評価するに際しては、標準光源下で評価を行うべきであるが、実用上においては、同様の理由から、必ずしも標準光源下で行う必要はなく、現実的な評価が行えれば問題はない。例えば、プリンタの印刷物を使って営業を行っている者が客先で説明をするような場合には、当該印刷物の色の変化が許容できる範囲内であれば問題はない。
そこで、本発明の目的は、所定のプリンタで印刷した印刷物を評価するに際し、実際の環境下で、当該プリンタで印刷した印刷物の色変化がどのようなものとなるかを容易に判断することが可能な演色性検査カードを提供することにある。
【課題を解決するための手段】
【０００４】
上記課題を解決するため、評価対象のプリンタに対応し、標準光源下で視覚的に等色を呈し、非標準光源下で視覚的に異色を呈する可能性がある複数組の印字色チェック用パッチが形成されたプリント色チェック部を備えたことを特徴としている。
上記構成によれば、プリント色チェック部を構成する複数組の印字色チェック用パッチの色を視覚的に評価することにより当該プリンタで印刷した印刷物の色変化がどのようなものとなるかを容易に判断することができる。
【０００５】
この場合において、各組を構成する二つの前記印字色チェック用パッチの一方である非依存性パッチは、所定の代表色を表すに際し、前記評価対象のプリンタが実装しているインクの種類とは無関係に、より光源依存性が低くなるように作成されており、他方の依存性パッチは、前記評価対象のプリンタが実装しているインクにより前記代表色を表す場合の所定のインク量組み合わせを用いて作成されているようにしてもよい。
上記構成によれば、簡易に演色性カードを作成することができる。
【０００６】
また、前記依存性パッチは、前記評価対象のプリンタについて、用紙、解像度あるいは色補正方法毎に作成されるようにしてもよい。
上記構成によれば、同一の評価対象のプリンタであっても、実際の印刷条件に即して印刷物の色変化がどのようなものとなるかを容易に判断することができる。
また、前記標準光源下で等色を呈し、非標準光源下で異色を呈する複数の光源チェック用パッチが形成された光源チェック部を備えるようにしてもよい。
上記構成によれば、検査対象の環境光が標準光源下と同様であるか否かを容易に判別できる。
【発明の効果】
【０００７】
本発明によれば、所定のプリンタで印刷した印刷物を評価するに際し、実際の環境下で、当該プリンタで印刷した印刷物の色変化がどのようなものとなるかを視覚的に容易に判断できる。
【発明を実施するための最良の形態】
【０００８】
次に本発明の好適な実施の形態について説明する。
図１は、実施形態の演色性検査カードの外観図である。
演色性検査カード１０は、大別すると、標準光源であるＤ５０光源下で等色を呈し、非標準光源下で異色を呈する二つの光源チェック用パッチが形成された光源チェック部１１と、評価対象のプリンタに対応し、標準光源下で視覚的に等色を呈し、非標準光源下で視覚的に異色を呈する複数組の印字色チェック用パッチが形成されたプリント色チェック部１２と、評価対象のプリンタおよび印刷条件などが記載された条件記載部１３と、を備えている。
光源チェック部１１は、標準光源（Ｄ５０光源）下で光源依存性の最も低い色で印刷された第１光源チェックパッチ１１Ｌと、第１光源チェックパッチ１１Ｌと標準光源下で等色を呈するとともに、非標準光源下で異色を呈する光源依存が最も高い色で印刷された第２光源チェックパッチ１１Ｈと、を備えている。この場合において、第１光源チェックパッチ１１Ｌおよび第２光源チェックパッチ１１Ｈは、評価対象のプリンタに関係なく、予め、オフセット印刷機などにより印刷されているようにすればよい。
【０００９】
プリント色チェック部１２は、評価対象のプリンタに対応し、標準光源下で視覚的に等色を呈し、非標準光源下で視覚的に異色を呈する可能性がある８組の印字色チェック用パッチ１２Ａ〜１２Ｈを備えている。
各印字色チェック用パッチ１２Ａ〜１２Ｈを構成する二つの印字色チェック用パッチの一方である非依存性パッチ１２ＡＬ〜１２ＨＬは、所定の代表色を表すに際し、評価対象のプリンタが実装しているインクの種類とは無関係に、より光源依存性が低くなるようにあらかじめオフセット印刷機などによる印刷により作成されており、他方の依存性パッチ１２ＡＨ〜１２ＨＨは、評価対象のプリンタが実装しているインクにより前記代表色を表す場合の所定のインク量組み合わせを用いて作成されている。この場合において、例えば、印字色チェック用パッチ１２Ａを構成する非依存性パッチ１２ＡＬおよび依存性パッチ１２ＡＨは、標準光源下で視覚的に等色を呈するが、非標準光源下では視覚的に異色を呈する可能性があることとなる。
【００１０】
この場合において、プリント色チェック部１２を構成する依存性パッチ１２ＡＨ〜１２ＨＨは、実際に製品の各プリンタで定義されている色が、標準光源を除く様々な光源下でどの程度色が変化するかを確認するためのものである。現実的には、評価対象のプリンタで印字可能な全ての色について印字色チェック用パッチを設けることは不可能であるので、代表色（本実施形態では、Ｒ、Ｇ、Ｂ、Ｃ、Ｍ、Ｙ、Ｋおよびペールオレンジの８色）についてのみパッチを形成している。
ところで、色度（ｃｈｒｏｍａｔｉｃｉｔｙ）は、Ｒ、Ｇ、Ｂの３つの色（三刺激値）を合成したものであるため、自由度３の色空間を作ることとなる。一方、プリンタで表現可能な色は、インク種類の数（３以上）に相当する自由度３以上となる。したがって、プリンタとして３色プリンタを用いる場合を除き、同一の色を表現する場合のインクの組み合わせは、複数種類存在することとなるので、依存性パッチ１２ＡＨ〜１２ＨＨを構成するインクの組み合わせは、可能なインクの組み合わせのうち、最も光源依存性の低いものとするのが好ましい。
【００１１】
また、プリンタに搭載されているルックアップテーブル（ＬＵＴ；ＲＧＢ→ＣＭＹＫテーブル）は、標準光源であるＤ５０光源（色温度５０００±２００ケルビン度）の下で、作られているが、ルックアップテーブルは、用紙種類（普通紙、専用光沢紙など）、印刷品質（＝解像度。ドラフト、ファイン、スーパーファインなど）、色補正方法（自然な色合い、メーカー基準色など）などによってプリンタに複数搭載されているので、条件記載部１３にこれらの条件を記載しておくとともに、プリント色チェック部１２を構成する依存性パッチ１２ＡＨ〜１２ＨＨは、想定される用紙種類、印刷品質および色補正方法の組み合わせに基づいて、複数種類作成しておくのが好ましい。しかしながら、実用的には、印刷サンプルにおいて使用される印刷モードに対応する依存性パッチ１２ＡＨ〜１２ＨＨが形成された演色性検査カードを用意すれば十分である。
【００１２】
実際に依存性パッチ１２ＡＨ〜１２ＨＨを作る場合には、例えば、６色インクプリンタを評価対象プリンタとする場合には、まず、代表色において標準光源であるＤ５０光源下で非依存性パッチと等色を呈するパッチをプリンタが実装しているインク組み合わせで印刷する。
続いて得られたパッチを、予め光源チェック部１１および非依存性パッチ１２ＡＬ〜１２ＨＬをオフセット印刷機などで印刷した演色性検査カード用の用紙に、依存性パッチ１２ＡＨ〜１２ＨＨとして貼り付けることにより、演色性検査カード１０とする。
【００１３】
次に演色性検査カード１０の使用手順について説明する。
図２は、演色性検査カードの使用手順を示すフローチャートである。
まず、検査者は、プリンタの印刷物を評価する環境下（例えば、営業担当である検査者がプリントサンプルを提示する客先）で光源チェック部１１を観察する（ステップＳ１１）。
次に検査者は、光源チェック部１１の第１光源チェックパッチ１１Ｌの呈する色と、第２光源チェックパッチ１１Ｈの呈する色とが異なるか否かを判別する（ステップＳ１２）。
検査者は、ステップＳ１２の判別において、第１光源チェックパッチ１１Ｌの呈する色と、第２光源チェックパッチ１１Ｈの呈する色とがほぼ同一であるとみなせる場合は（ステップＳ１２；Ｎｏ）、検査者は、標準光源下と同様の環境であるので、厳密な色評価も行えると判断して（ステップＳ１８）、処理を終了する。
【００１４】
また、検査者は、ステップＳ１２の判別において、第１光源チェックパッチ１１Ｌの呈する色と、第２光源チェックパッチ１１Ｈの呈する色とが異なる場合には（ステップＳ１２；Ｙｅｓ）、厳密な色評価を行う必要があるか否かを判別する（ステップＳ１３）。
ステップＳ１３の判別において、厳密な色評価を行う必要がある場合には（ステップＳ１３；Ｙｅｓ）、検査者は厳密な色評価を行える環境ではないと判断し（ステップＳ１７）、処理を終了する。
ステップＳ１３の判別において、厳密な色評価を行う必要がない場合には（ステップＳ１３；Ｎｏ）、検査者は、プリント色チェック部１２の印字色チェック用パッチ１２Ａ〜１２Ｈを観察する（ステップＳ１４）。
次に検査者は、印字色チェック用パッチ１２Ａ〜１２Ｈを構成する非依存性パッチ１２ＡＬ〜１２ＨＬと、対応する依存性パッチ１２ＡＨ〜１２ＨＨが異なる色を呈しているものがあるか否かを判別する（ステップＳ１５）。
ステップＳ１５の判別において、非依存性パッチ１２ＡＬ〜１２ＨＬと、対応する依存性パッチ１２ＡＨ〜１２ＨＨが異なる色を呈しているものがある場合には（ステップＳ１５；Ｙｅｓ）、検査者は、簡易的な色評価も行える環境ではないと判断し（ステップＳ１７）、処理を終了する。
【００１５】
ステップＳ１５の判別において、非依存性パッチ１２ＡＬ〜１２ＨＬと、対応する依存性パッチ１２ＡＨ〜１２ＨＨが異なる色を呈しているものがない場合には（ステップＳ１５；Ｎｏ）、検査者は、簡易的な色評価が行える環境であると判断し（ステップＳ１６）、処理を終了する。なお、この場合には、光源チェック部１１の第１光源チェックパッチ１１Ｌの呈する色と、第２光源チェックパッチ１１Ｈの呈する色とが異なっているので、検査者は、正確な色評価はできないという認識の下に、評価を行う必要がある。
以上の説明のように、本実施形態の演色性検査カードを用いることにより、演色性検査カードのユーザは、当該演色性検査カードに対応する所定のプリンタで印刷した印刷物を該当する環境下で観察した場合に、色が異なって見えたりしないかを事前に確認することが可能となる。
また、プリンタの印刷物を評価する評価者は、色評価に相応しい環境下（環境光下）であるか否かを容易に確認することができる。
さらに、プリンタのルックアップテーブル作成者は、依存性パッチ（上述の例の場合、依存性パッチ１２ＡＨ〜１２Ｈｈ）を実際に作成することで、作成したルックアップテーブルの評価を行うことができる。
また、本実施形態の演色性検査カードは、名刺サイズ程度に作成することも可能であるので、誰もが様々な場所に携帯して、気軽に利用することができる。
【００１６】
以上の説明においては、第１光源チェックパッチ１１Ｌ、第２光源チェックパッチ１１Ｈおよび非依存性パッチ１２ＡＬ〜１２ＨＬは、評価対象のプリンタに関係なく、予め、オフセット印刷機などにより印刷されているようにしていたが、プリンタで印刷したものを用いるように構成することも可能である。
【図面の簡単な説明】
【００１７】
【図１】実施形態の演色性検査カードの外観図である。
【図２】演色性検査カードの使用手順を示すフローチャートである。
【符号の説明】
【００１８】
１０…演色性検査カード、１１…光源チェック部、１１Ｈ…第２光源チェックパッチ、１１Ｌ…第１光源チェックパッチ、１２…プリント色チェック部、１２Ａ…印字色チェック用パッチ、１２ＡＨ…依存性パッチ、１２ＡＬ…非依存性パッチ、１３…条件記載部。
【図１】
2008224236.tif 000003
【図２】
2008224236.tif 000004